(57)【要約】【課題】電気絶縁物のガラスプレート上に配置したタッチキータイプの操作スイッチにおいて、いかなる使用環境においても誤動作を極力低減する事と、加熱動作無しに被加熱物の位置や大きさを判別する事により安全性を向上させること。【解決手段】電気絶縁物のガラスプレート上に、位置を特定する為の位置検出装置を具備し、その位置検出装置によって検出された信号を元に、使用者の操作位置を特定する事で、どのスイッチが押されたのかを判断し、また、加熱動作を行うことなく被加熱物の置かれた位置や大きさを特定し、操作性の向上と安全性の向上を図るものである。【選択図】図１
2009289562.tif 000002
【特許請求の範囲】
【請求項１】
耐熱性かつ電気絶縁物よりなるガラスプレートと、前記ガラスプレート上面前方に配した機器の操作を行う複数のタッチキータイプの操作スイッチと、操作スイッチの位置及び被加熱物の位置をｘ・ｙ座標として認識する、表面弾性波の発信子と受信子による位置検出装置と、前記位置検出装置から送出されるｘ・ｙ信号を処理する制御部を備え、前記表面弾性波による位置検出装置と制御部にて座標を特定する事により、機器の操作検出を行う誘導加熱調理器。
【請求項２】
前記位置検出装置から得られる位置情報を元に、前記ガラスプレート上に置かれた被加熱物の大きさや位置を検出する請求項１に記載の誘導加熱調理器。
【請求項３】
前記位置検出装置を赤外線を用いて実現する請求項１記載の誘導加熱調理器。
【請求項４】
前記位置検出装置と前記制御部により、操作スイッチが使用者によって正しく押されたと前記制御部が判断した時、及び、使用者によって正しい位置に被加熱物が置かれたと前記制御部が判断した時、予め決めておいた音又は光によって、正しい操作が施された事を使用者に報知する報知手段を備えた請求項１〜３のいずれか１項に記載の誘導加熱調理器。
【請求項５】
前記位置検出装置と前記制御部により、操作スイッチが使用者によって正しく入力されなかったと前記制御部が判断した時、または使用者によって正しい位置に被加熱物が置かれなかったと前記制御部が判断した時、予め決めておいた音又は光によって、正しい操作が施されなかった事を使用者に報知し、正しい操作や鍋位置の修正を促す為の報知手段を備えた請求項１〜４のいずれか１項に記載の誘導加熱調理器。
【発明の詳細な説明】
【技術分野】
【０００１】
本発明は、誘導加熱調理器に関するものである。
【背景技術】
【０００２】
従来、この種の誘導加熱調理器は、使用者の指先が電極に触れる事によって発生する静電容量により、電極の静電容量変化を検出することで操作の有無を検知する静電容量方式を採用している（例えば、特許文献１参照）。
【０００３】
また、従来の誘導加熱調理器は、ガラスプレート上に置かれた被加熱物の位置検出や大きさの検出は、一旦加熱動作を行い、そのときの電圧や電流値、サーミスタ温度、赤外線センサ等の情報を得る事により行うことが知られている（例えば、特許文献２参照）。
【特許文献１】特開平１０−２１４６７７号公報
【特許文献２】特開２００６−３４４４５６号公報
【発明の開示】
【発明が解決しようとする課題】
【０００４】
しかしながら、前記従来の構成では、静電容量方式のタッチキーは、様々な外乱による影響を受けて認識率を落としたり、時には誤動作を起こし、例えば静電容量式の操作スイッチの場合、電極の微々たる電荷量の変化を検知して操作の有無を判断している為、ラジオ放送局等のアンテナ近くの強電界環境下において影響を受け易く、まれに操作を行わない状態でも操作スイッチが押されたと認識されて誤動作を起こす可能性があるという課題を有していた。
【０００５】
また、操作スイッチ以外の場所を触れた時の誤操作を防止するために、一般に操作スイッチ周囲に周辺電極を配しているが、平面状電極との間にも容量が発生し、誤検知の原因となるという課題を有していた。
【０００６】
一方、前記従来の構成の誘導加熱調理器においては、ガラスプレート上の被加熱物の位置や大きさの検出に関しては、被加熱物を設置した領域に対応した操作部を選択し、加熱しては危険な場合でも、必ず加熱動作を行う必要があった。また、被加熱物が加熱領域の中心からずれていても、ある入力値以上であれば加熱を継続してしまい、効率が悪いまま使用することになったり、鍋と加熱してはいけないナイフ等を並べて設置した場合でも、その状態を把握できずに加熱動作を行うことがあるという課題を有していた。
【課題を解決するための手段】
【０００７】
本発明は前記従来の課題を解決するもので、ガラスプレートの縦辺及び横辺の端面近辺に、座標を検出する事が出切る位置検出装置を設ける事で、操作スイッチ領域として予め決められた範囲に使用者が指で触れた場合、その座標を検出する事で、操作スイッチの操作を行う事ができる。また被加熱物の位置や大きさに付いても、前記位置検出装置を用いる事で、限られた検知領域だけでなくガラスプレート全体の状況を把握することができ、加熱動作を行わなくてもガラスプレート上の被加熱物の位置情報並びに大きさの情報を得ることができる。そのため、安全性を向上させる事ができる。
【発明の効果】
【０００８】
本発明の誘導加熱調理器は、ガラスプレートの縦辺及び横辺の端面近辺に、座標を検出する事が出切る位置検出装置を設ける事で、操作スイッチ領域として予め決められた範囲に使用者が指で触れた場合、その座標を検出する事で、操作スイッチの操作を行う事がで
きる。また被加熱物の位置や大きさに付いても、前記位置検出装置を用いる事で、限られた検知領域だけでなくガラスプレート全体の状況を把握することができ、加熱動作を行わなくてもガラスプレート上の被加熱物の位置情報並びに大きさの情報を得ることができる。そのため、安全性を向上させる事ができる。
【発明を実施するための最良の形態】
【０００９】
第１の発明は、耐熱性かつ電気絶縁物よりなるガラスプレートと、前記ガラスプレート上面前方に配した機器の操作を行う複数のタッチキータイプの操作スイッチと、操作スイッチの場所及び被加熱物の位置をｘ・ｙ座標として認識する、表面弾性波の発信子と受信子による位置検出装置と、前記位置検出装置から送出されるｘ・ｙ信号を処理する制御部を備え、前記表面弾性波の位置検出装置と制御部にてガラスプレート上の座標を検知する事により、使用者が機器のどのキー操作を行ったかを判断できる。
【００１０】
第２の発明は、特に請求項１記載の誘導加熱調理器において、前記位置検出装置から得られる位置情報を元に、加熱動作行なう事無く安全に前記ガラスプレート上に置かれた被加熱物の大きさや位置を検出する事ができる。
【００１１】
第３の発明は、請求項１及び２記載の誘導加熱調理器において、前記位置検出装置を赤外線を用いて実現する。
【００１２】
第４の発明は、請求項１〜３記載の加熱調理器において、前記位置検出装置と前記制御部により、使用者によって正しく操作スイッチの入力操作が成されたと前記制御部が判断した時、及び、使用者によって正しい位置に定められた範囲の大きさの被加熱物が置かれたと前記制御部が判断した時、予め決めておいた音又は光を発する事で、使用者に対して正しく操作が行われた事を報知する事ができる。
【００１３】
第５の発明は、請求項１〜３記載の加熱調理器において、前記位置検出装置と前記制御部により、操作スイッチが使用者によって正しく入力されなかったと判断された時、または使用者によって正しい位置に定められた範囲の大きさの被加熱物が置かれなかったと前記制御部が判断した時、予め決めておいた音又は光を発する事で、使用者に対して正しく操作スイッチの入力操作が行われなかった事、及び正しい場所に被加熱物が置かれなかった事、定められた範囲内の被加熱物が置かれなかった事を報知する事ができる。
【００１４】
以下、本発明の実施の形態について、図面を参照しながら説明する。なお、本実施の形態によって、本発明が限定されるものではない。
【００１５】
（実施の形態１）
図１は、本発明の第１の実施の形態における弾性表面波方式の位置検出装置を備えた誘導加熱調理器の上面図と、弾性表面波の受信子をの経て制御部が受取る信号の大きさをグラフである。
【００１６】
１はガラスなど電気絶縁物からなるガラスプレート、２、３は表面弾性波を発する発信子で、２はｘ軸用、３はｙ軸用である。また、４、５は前記発信子から発せられた表面弾性波を受信する為の受信子で、４はｘ軸用、５はｙ軸用である。６は前記表面弾性波の受信子４、５からの信号を受取って、位置情報に変換する制御部を示す。また、７は使用者の指を、８は表面弾性波を反射させる反射アレイを示している。９の操作スイッチは、原理を説明し易くする為にガラスプレートの中央にａ、ｂ、ｃという記号で示した。
【００１７】
以上のように構成された誘導加熱調理器について、以下その動作、作用を説明する。
【００１８】
パネル隅のｘ及びｙ発信子２、３から発生した表面弾性波は、反射アレイ８によりパネル上に行き渡り、ｘ、及びｙ受信子４、５に戻る。使用者が指７で操作スイッチ９のｂ部にタッチすると、その部分の表面弾性波が減衰して伝達する。受信子４、５はその位置を検出し、グラフで示すように位置データとして制御部６に出力する。制御部６は予め記憶されている位置情報に基づき、受信子４、５から来た信号の位置情報から、どの操作スイッチが押されたのかを判断する事ができる。
【００１９】
（実施の形態２）
図２は、本発明の第２の実施の形態における誘導加熱調理器の上面図と、弾性表面波の受信子を経て制御部が受取る信号の大きさをグラフである。
【００２０】
図２において、使用者が被加熱物１０をガラスプレート１に置くと、パネル隅のｘ及びｙ発信子２、３から発生した表面弾性波は、反射アレイ８によりパネル上に行き渡り、ｘ、及びｙ受信子４、５に戻る。受信子４、５は下のグラフに示すような信号を制御部６に出力する。制御部６はその信号から位置情報と減衰量の幅から被加熱物１０の置かれた場所と、被加熱物１０の大きさを特定する。
【００２１】
（実施の形態３）
図３、図４は、前記実施の形態１又は２において、表面弾性波の代わりに赤外線を用いた場合の誘導加熱調理器の上面図と断面図を示したものである。１１、１２は赤外線を出すＬＥＤで、１１はｘ軸用、１２はｙ軸用である。また、１３、１４は受光部で１３はｘ軸用、１４はｙ軸用である。
【００２２】
ｘ軸とｙ軸に並べられたＬＥＤ１１、１２から発せられた赤外線が図４で示すレンズ１５を通って受光部１３、１４に到達する。使用者の指７が操作スイッチ９に触れると、ＬＥＤ１１、１２から発せられた赤外線は指７によって遮断され、受光部１３、１４には届かなくなる。その情報を元に制御部６では指の位置を特定し、予め記憶されている操作スイッチの位置情報に基づき、どのスイッチが押されたのかを判断する。
【００２３】
（実施の形態４）
図５、図６は、前記実施の形態１〜３において、使用者によって正しく操作スイッチの入力操作が成されたと前記制御部６が判断した時、又は使用者によって誤った操作が行われたと前期制御部６が判断した時、予め決めておいた音又は光等の報知手段１６によって、操作の是非を使用者に対して報知する事で、使用者に対して安心感を与える事ができ、また再操作を促す事ができる。被加熱物の位置検出・大きさ検出に関しても同様である。
【産業上の利用可能性】
【００２４】
以上のように、本発明にかかる誘導加熱調理器は、ガラスプレートの縦辺及び横辺の端面近辺に、座標を検出する事が出切る位置検出装置を設ける事で、操作スイッチ領域として予め決められた範囲に使用者が指で触れた場合、その座標を検出する事で、操作スイッチの操作を行う事ができるので、他の加熱調理器の用途にも適用できる。
【図面の簡単な説明】
【００２５】
【図１】本発明の実施の形態１における誘導加熱調理器の上面図及び指で操作した時の表面弾性波の信号を示す図
【図２】本発明の実施の形態２における誘導加熱調理器の上面図及び被加熱物を置いた時の表面弾性波の信号を示す図
【図３】本発明の実施の形態３における誘導加熱調理器の上面図
【図４】本発明の実施の形態３における誘導加熱調理器の断面図
【図５】報知手段を装備した本発明の実施の形態１または２における誘導加熱調理器の上面図
【図６】報知手段を装備した本発明の実施の形態３における誘導加熱調理器の上面図
【図７】静電容量方式タッチキーを使用した従来の誘導加熱調理器の上面図
【符号の説明】
【００２６】
１  ガラスプレート
２  発信子（ｘ軸）
３  発信子（ｙ軸）
４  受信子（ｘ軸）
５  受信子（ｙ軸）
６  制御部
７  指
８  反射アレイ
９  操作スイッチ
１０  被加熱物（鍋）
１１  ＬＥＤ（ｘ軸）
１２  ＬＥＤ（ｙ軸）
１３  受光部（ｘ軸）
１４  受光部（ｙ軸）
１５  レンズ
１６  報知手段
【図１】
2009289562.tif 000003
【図２】
2009289562.tif 000004
【図３】
2009289562.tif 000005
【図４】
2009289562.tif 000006
【図５】
2009289562.tif 000007
【図６】
2009289562.tif 000008
【図７】
2009289562.tif 000009